(57)【要約】【課題】  トップエミッション方式のカラー表示を行う有機ＥＬパネルにおいて、充分な封止空間内の捕水効果が得られ、有機ＥＬ素子に対して効率的な劣化対策を施すことができ、製造工程を簡略化することができ、製品歩留まりを向上させてコスト削減を可能にすることができると共に、色ずれのないカラー表示が可能になる。【解決手段】  有機ＥＬパネル１０は、有機ＥＬ素子層１２が形成された支持基板１１と、封止基板１３とが接着剤１７を介して貼り合わされて、両基板間で有機ＥＬ素子を封止する封止空間が形成されている。封止基板１３は透明性を有する基板によって形成され、封止基板１３の内面には、ブラックマトリクス１５が必要に応じて形成されると共に色フィルタ層１４が形成されており、有機ＥＬ素子からの発光が色フィルタ層１４を通過して封止基板１３側から取り出されるトップエミッション方式のカラー表示パネルを形成している。そして、色フィルタ層１４を覆うように光透過性を有する透明捕水膜１６が封止基板１３の内面に形成され、この透明捕水膜１６で封止空間が充填されている。【選択図】図２
2005011794.tif 000002
【特許請求の範囲】
【請求項１】
一対の電極間に有機発光機能層を含む有機層が挟持された有機ＥＬ素子を支持基板上に形成し、該支持基板に透明性を有する封止基板を貼り合わせて前記有機ＥＬ素子を封止する有機ＥＬパネルであって、
前記封止基板の内面に色フィルタ層を形成し、該色フィルタ層を光透過性を有する捕水膜で覆い、前記捕水膜と前記有機ＥＬ素子間の封止空間を充填するように前記支持基板と前記封止基板とを貼り合わせて、前記封止基板側から光を取り出すことを特徴とする有機ＥＬパネル。
【請求項２】
前記捕水膜と前記有機ＥＬ素子間にバッファ層を介在させることで前記封止空間を充填することを特徴とする請求項１に記載された有機ＥＬパネル。
【請求項３】
前記捕水膜を前記有機ＥＬ素子と接触させることで前記封止空間を充填することを特徴とする請求項１に記載された有機ＥＬパネル。
【請求項４】
前記捕水膜は、捕水剤を溶媒に溶解させて形成されることを特徴とする請求項１〜３いずれかに記載された有機ＥＬパネル。
【請求項５】
前記捕水膜は、透明樹脂に捕水剤が分散されて形成されることを特徴とする請求項１〜３のいずれかに記載された有機ＥＬパネル。
【請求項６】
前記捕水膜は、被加熱処理膜であることを特徴とする請求項１〜５のいずれかに記載された有機ＥＬパネル。
【請求項７】
前記有機ＥＬ素子は、前記支持基板上に形成される薄膜駆動素子によって駆動されることを特徴とする請求項１〜６のいずれかに記載された有機ＥＬパネル。
【請求項８】
一対の電極間に有機発光機能層を含む有機層が挟持された有機ＥＬ素子を支持基板上に形成する工程と、
透明性を有する封止基板の一面に色フィルタ層を形成すると共に、該色フィルタを覆う光透過性を有する捕水膜を形成する工程と、
前記支持基板と前記封止基板とを前記色フィルタ層を内側にして、前記捕水膜と前記有機ＥＬ素子間の封止空間を充填するように貼り合わせ、前記有機ＥＬ素子を封止する工程とを有し、
前記封止基板側から光を取り出すことを特徴とする有機ＥＬパネルの製造方法。
【請求項９】
前記捕水膜と前記有機ＥＬ素子間にバッファ層を介在させることで前記封止空間を充填することを特徴とする請求項８に記載された有機ＥＬパネルの製造方法。
【請求項１０】
前記捕水膜を前記有機ＥＬ素子と接触させることで前記封止空間を充填することを特徴とする請求項８に記載された有機ＥＬパネルの製造方法。
【請求項１１】
前記捕水膜は、捕水剤を溶媒に溶解させて形成されることを特徴とする請求項８〜１０のいずれかに記載された有機ＥＬパネルの製造方法。
【請求項１２】
前記捕水膜は、透明樹脂に捕水剤が分散されて形成されることを特徴とする請求項８〜１０に記載された有機ＥＬパネルの製造方法。
【請求項１３】
前記捕水膜は、前記張り合わせの工程前に加熱処理がなされることを特徴とする請求項８〜１２のいずれかに記載された有機ＥＬパネルの製造方法。
【請求項１４】
前記有機ＥＬ素子は、前記支持基板上に形成される薄膜駆動素子によって駆動されることを特徴とする請求項８〜１３のいずれかに記載された有機ＥＬパネルの製造方法。
【発明の詳細な説明】
【技術分野】
【０００１】
本発明は、有機ＥＬパネル及びその製造方法に関するものである。
【背景技術】
【０００２】
有機ＥＬ（Electroluminescence）パネルは、支持基板上に一対の電極によって発光機能層を含む有機層を挟持した有機ＥＬ素子を形成し、この有機ＥＬ素子を面発光要素として、これを単数又は複数配列することで表示領域を形成するものである。この有機ＥＬパネルにおいては、有機層及び電極が外気に曝されると有機ＥＬ素子の発光特性が劣化することから、有機ＥＬ素子を外気から遮断する封止部材を設けることが不可欠になっている。
【０００３】
一方、この有機ＥＬパネルにおいては、前述した一対の電極の少なくとも一方をＩＴＯ等からなる透明電極にして、この透明電極側から発光層等で発光した光を取り出すようにしており、透明な支持基板上の下部電極を透明電極にして支持基板側から光を取り出すボトムエミッション方式と支持基板上の下部電極と対向する上部電極を透明電極として上部電極側から光を取り出すトップエミッション方式が考えられている。
【０００４】
図１は、下記特許文献１に記載された有機ＥＬパネルの従来技術であって、トップエミッション方式のカラー表示を行うことができる有機ＥＬパネルを示している。この有機ＥＬパネルは、ガラス基板１に陰極４Ａ，発光層５，透明陽極４Ｂからなる有機ＥＬ素子を形成し、ガラス基板１と封止キャップ２とを封止部材２Ａを介して接着剤３により貼り合わせて有機ＥＬ素子を封止している。そして、封止キャップ２の内面にカラーフィルタ６を形成し、その周囲にオーバーコート膜７を形成して、カラーフィルタ６の対向面を除く部分（各カラーフィルタの間及びパネルの両側部）に捕水剤８を配置している。
【０００５】
【特許文献１】特開２００１−１２６８６２号公報（図１，段落０００５）
【発明の開示】
【発明が解決しようとする課題】
【０００６】
このような従来の有機ＥＬパネルによると、カラーフィルタや各カラーフィルタ間に設けられるブラックマトリクスから封止空間内に放出される水分や脱ガスを、オーバーコート膜を設けることで抑止することができる。ところが、有機ＥＬ素子の劣化因子と考えられる水分や酸素等が外から封止空間内に侵入した場合や、有機ＥＬ素子の駆動時に発生する劣化因子、封止時の初期に封止空間内に存在する水分等に関しては、別途捕水剤を設けてこれらに対処しなければならない。
【０００７】
しかしながら、この際に捕水剤を配置することができる封止空間内の箇所は、有機ＥＬ素子の発光面積率を有効に確保しようとすると限られた箇所になり、充分な捕水効果を得ることができないという問題がある。また、有機ＥＬ素子の発光領域の上には捕水剤を配置することができないので、有機ＥＬ素子に対して効率的な劣化対策を施すことができないという問題がある。
【０００８】
更には、封止キャップ側では、封止キャップの内面にカラーフィルタを形成し、その上にオーバーコート膜を形成した後、開口パターンを有する捕水剤層を形成する必要があるので、製造工程が煩雑になるという問題がある。また、捕水剤層の開口パターンと有機ＥＬ素子の発光領域とが合致しなければならないので、有機ＥＬ素子側の支持基板と封止キャップとを貼り合わせる際の位置決めを高精度に行う必要性が生じ、これによっても製造工程が煩雑になると共に製品の歩留まりが低下し易くなるという問題が生じる。
【０００９】
本発明は、このような問題に対処することを課題の一例とするものである。すなわち、トップエミッション方式のカラー表示を行う有機ＥＬパネルにおいて、充分な封止空間内の捕水効果が得られ、有機ＥＬ素子に対して効率的な劣化対策を施すことができ、製造工程を簡略化することができ、製品歩留まりを向上させてコスト削減を可能にすることができる有機ＥＬパネル及びその製造方法を提供することを目的とするものである。
【課題を解決するための手段】
【００１０】
このような目的を達成するために、本発明による有機ＥＬパネル及びその製造方法は、以下の各独立請求項に係る構成を少なくとも具備するものである。
【００１１】
［請求項１］一対の電極間に有機発光機能層を含む有機層が挟持された有機ＥＬ素子を支持基板上に形成し、該支持基板に透明性を有する封止基板を貼り合わせて前記有機ＥＬ素子を封止する有機ＥＬパネルであって、前記封止基板の内面に色フィルタ層を形成し、該色フィルタ層を光透過性を有する捕水膜で覆い、前記捕水膜と前記有機ＥＬ素子間の封止空間を充填するように前記支持基板と前記封止基板とを貼り合わせて、前記封止基板側から光を取り出すことを特徴とする有機ＥＬパネル。
【００１２】
［請求項８］一対の電極間に有機発光機能層を含む有機層が挟持された有機ＥＬ素子を支持基板上に形成する工程と、透明性を有する封止基板の一面に色フィルタ層を形成すると共に、該色フィルタを覆う光透過性を有する捕水膜を形成する工程と、前記支持基板と前記封止基板とを前記色フィルタ層を内側にして、前記捕水膜と前記有機ＥＬ素子間の封止空間を充填するように貼り合わせ、前記有機ＥＬ素子を封止する工程とを有し、前記封止基板側から光を取り出すことを特徴とする有機ＥＬパネルの製造方法。
【発明を実施するための最良の形態】
【００１３】
以下、本発明の実施形態を図面を参照して説明する。図２は、本発明の一実施形態に係る有機ＥＬパネルを説明する説明図である。この有機ＥＬパネル１０は、一対の電極間に有機発光機能層を含む有機層が挟持された有機ＥＬ素子を構成する有機ＥＬ素子層１２が形成された支持基板１１と封止基板１３とが接着剤１７を介して貼り合わされて、両基板間で有機ＥＬ素子を封止する封止空間が形成されている。
【００１４】
また、封止基板１３は透明性を有する基板によって形成され、この封止基板１３の内面には、有機ＥＬ素子の発光領域に応じた開口部を有するブラックマトリクス１５が必要に応じて形成されると共に、有機ＥＬ素子の発光領域に対面するように色フィルタ層１４が形成されており、有機ＥＬ素子からの発光が色フィルタ層１４を通過して封止基板１３側から取り出されるトップエミッション方式のカラー表示パネルを形成している。
【００１５】
そして、本発明の実施形態においては、色フィルタ層１４を覆うように光透過性を有する捕水膜（以下、透明捕水膜という）１６が封止基板１３の内面に形成されると共に、この透明捕水膜１６を有機ＥＬ素子層１２と接触させることで、支持基板１１と封止基板１３との間の封止空間を透明捕水膜１６で充填するようにしている。これによって、透明捕水膜１６は、色フィルタ層１４の全体を覆うことで、有機ＥＬ素子層１２上に形成され、有機ＥＬ素子の発光領域に対面して形成されている。
【００１６】
このような構造を有する有機ＥＬパネル１０では、まず、色フィルタ層１４及びブラックマトリクス１５を覆う透明捕水膜１６を設けているので、色フィルタ層１４やブラックマトリクス１５から封止空間内に放出される水分や脱ガスを透明捕水膜１６が遮断して、色フィルタ層１４或いはブラックマトリクス１５が封止空間内に形成されることによる有機ＥＬ素子の劣化を防止することができる。また、透明捕水膜１６を封止空間内のほぼ全面に亘って設けているので、外から封止空間内に侵入する水分や封止時の初期に封止空間内に存在する水分等を吸収するのに充分な量の捕水剤を、透明捕水膜１６の膜形成によって配備することができる。更に、有機ＥＬ素子の発光領域に対面して透明捕水膜１６を設けることができるので、効果的な有機ＥＬ素子の劣化防止を図ることができる。また、透明捕水膜１６で色フィルタ層１４を覆っているので、色フィルタ層１４の開口率には影響が無く、有機ＥＬ素子の光取り出し効率が高いトップエミッション方式のカラー表示パネルを形成することができる。
【００１７】
そして、透明性捕水膜１６は、有機ＥＬ素子層１２と接触することで、封止空間を充填しているので、パネルを湾曲させた場合にも支持基板１１と封止基板１３との間隔を一致に維持することが可能になる。また、このように封止空間を透明捕水剤１６で充填することで、有機ＥＬ素子の発光面から色フィルタ層１４に至るまでの光放出経路が単一の屈折率を有する媒体で占められることになり、屈折率の変化に伴う色ずれを生じない良好なカラー表示が可能になる。
【００１８】
図３は、本発明の他の実施形態に係る有機ＥＬパネルを示す説明図である。この有機ＥＬパネル２０は、前述と同様の有機ＥＬ素子層２２が形成された支持基板２１と封止基板２３とが接着剤２７を介して貼り合わされて、両基板間で有機ＥＬ素子を封止する封止空間が形成されている。ここで支持基板２１と封止基板２３はプラスチックフィルム等の可撓性基板によって形成されており、有機ＥＬパネル２０全体が可撓性を有するように形成されている。
【００１９】
また、封止基板２３は透明性を有する基板によって形成され、この封止基板２３の内面には、前述のようなブラックマトリクス２５が必要に応じて形成されると共に、前述のような色フィルタ層２４が形成されており、有機ＥＬ素子からの発光が色フィルタ層２４を通過して封止基板２３側から取り出されるトップエミッション方式のカラー表示パネルを形成している。
【００２０】
そして、この実施形態においては、色フィルタ層２４を覆うように透明捕水膜２６が封止基板２３の内面に形成され、更に、支持基板２１と封止基板２３とを貼り合わせる際に、封止空間を充填するように透明性を有する有機ポリマーや有機金属錯体によるバッファ層２８を有機ＥＬ素子層２２上に介在させている。ここでいうバッファ層２８は透明性を有している材料であれば特に問題はなく、光もしくは熱で硬化する樹脂材料、例えばＵＶ硬化型エポキシ樹脂、他にも２液硬化型アクリル樹脂、ゴム等の弾性材料、プラスチック材料、無機材料を用いても良い。
【００２１】
この実施形態によると、前述した実施形態における作用を得ることができると同時に、有機ＥＬパネル２０に可撓性を与えてパネルの用途を拡大することができる。また、支持基板２１と封止基板２３間に形成される封止空間が透明捕水膜２６と透明なバッファ層２８によって充填されるので、有機ＥＬ素子の劣化因子を有機ＥＬ素子層２２から完全に遮蔽することができると共に、パネルを湾曲させた場合にも有機ＥＬ素子層２２と透明捕水膜２６とが直接接触することがなく、また基板間隔を一定に維持することが可能になる。更には、透明捕水膜２６とバッファ層２８の屈折率が等しくなるように調整することで、色ずれのない良好なカラー表示を行うことが可能になる。
【００２２】
前述した各実施形態における透明捕水膜１６，２６を更に具体的に説明すると、透明捕水膜１６，２６は、捕水剤を溶媒に溶解させたもの、透明樹脂に捕水剤を分散させたもの等によって形成することができる。そして、この透明捕水膜１６，２６は、貼り合わせ前に加熱処理が施され、事前に表層付近の水分等を除去しておくことが望ましい。また、透明捕水膜１６，２６の光透過性を１０〜９９％、好ましくは５０％以上にすることで、良好な表示性能を確保することができる。
【００２３】
図４は、前述した各実施形態における有機ＥＬ素子層１２，２２の構造例を示す説明図である。ここでは、支持基板１１，２１上に薄膜駆動素子３０を形成したアクティブ駆動の例を示すが本発明の実施形態は特にこれに限定されるものではない。まず、支持基板１１，２１上には、単位発光領域毎に有機ＥＬ素子を駆動するＴＦＴ（thin film transistor）等の薄膜駆動素子３０が設けられ、その上に平坦化絶縁膜３１が形成されている。平坦化絶縁膜３１の上には、有機ＥＬ素子の下部電極３２が単位発光領域毎に区画されて形成されている。そして、その上に正孔輸送層３３ａ，発光層３３ｂ，電子輸送層３３ｃ等の有機発光機能層を含む有機層３３が形成され、更にその上に有機ＥＬ素子の上部電極３４が一様な電極層として形成されている。ここでは、有機ＥＬ素子の発光を上部電極３４側から取り出すために、一例として、下部電極３２を金属陽極とし、上部電極３４を透明陰極として前述した各層の有機層３３を積層している。
【００２４】
本実施形態の有機ＥＬ素子は、このようなアクティブ駆動のものだけでなく、ストライプ状の電極を直交配置して上部電極と下部電極を形成するパッシブ駆動のものでもよいが、上部電極側から光を取り出すトップエミッション方式であるから、有機ＥＬ素子の下（下部電極の下）にＴＦＴ等の薄膜駆動素子３０が形成されるアクティブ駆動型の方が開口率と無関係に駆動素子の配置を行うことができ、駆動素子の設計自由度が向上するという利点が得られる。
【００２５】
図５は、本発明の実施形態に係る有機ＥＬパネルの製造方法を示す説明図である。同図（ａ）がその概略を示すフローであり、同図（ｂ）が封止基板準備工程の各工程を示すフローである。同図（ａ）において、まず、素子形成工程Ｓ１として、支持基板１１（２１）上に、一対の電極によって挟持された有機発光機能層を含む有機層からなる有機ＥＬ素子層１２（２２）が形成される。ここでは、有機ＥＬ素子の形成に採用される周知の成膜工程及びパターン形成工程が採用される。
【００２６】
また一方で、封止基板準備工程Ｓ２として、同図（ｂ）に示される各工程が実行され、次に、貼り合わせ工程Ｓ３として、支持基板１１（２１），封止基板１３（２３）の一方又は両方の周囲に接着剤１７（２７）が塗布され、支持基板１１（２１）と封止基板１３（２３）が貼り合わされて、この両基板間で有機ＥＬ素子層１２（２２）の封止がなされ、その後は、必要に応じて適宜の検査工程を経て、実施形態の有機ＥＬパネル１０（２０）が得られる。
【００２７】
封止基板準備工程Ｓ２は、封止基板１１（２１）の表面を洗浄等によって処理した（Ｓ２０）後、封止基板１１（２１）の一面に、ブラックマトリクス１５（２５）を含む色フィルタ層１４（２４）を成膜及びパターニングし（Ｓ２１）、その色フィルタ層１４（２４）上に透明捕水膜１６（２６）を塗布等によって膜形成する（Ｓ２２）。その後は、前述したように透明捕水膜１６（２６）を加熱処理して、以後の貼り合わせ工程に移行する。
【００２８】
このような有機ＥＬパネルの製造方法によると、捕水剤の設置自体は透明捕水膜１６（２６）の膜形成工程のみで良く、前述した従来技術におけるオーバーコート膜と捕水膜の機能を単一の透明捕水膜１６（２６）の一層で得ることができ、工程の簡略化が可能である。また、透明捕水膜１６（２６）は単純な成膜で良く、従来技術の捕水膜のようなパターニングは必要ないので、成膜工程自体が大幅に簡略化できる共に、貼り合わせ工程での高精度な位置決めも不要になり、製品の歩留まりを向上させることでコストの低減が可能になる。
【００２９】
更には、貼り合わせの際に、有機ＥＬ素子層１２（２２）上の封止空間を透明捕水膜１６（２６）又はバッファ層２８によって充填してしまうので、発光面から色フィルタ層１４（２４）までの光放出経路の屈折率を均一化することができ（バッファ層２８を介在する場合には透明捕水膜２６とバッファ層２８の屈折率を等しくする。）と、色ずれのない良好なカラー表示を行うことが可能になる。この際に、貼り合わせによって空間の充填がなされるので、別途充填剤を注入する場合と比較して空間内に気泡が入り難く、精度の高い製造を行うことができる。
【実施例】
【００３０】
以下に、実施形態で示した有機ＥＬパネルの各部構成材の具体例を挙げて、本発明の実施例とする。
【００３１】
ａ．色フィルタ；ここでいう色フィルタとは、カラーフィルタのように有機ＥＬ素子からの発光波長の内、特定の波長を選択するもの、色変換フィルタのように有機ＥＬ素子からの発光波長を波長変換するもの等、有機ＥＬ素子からの発光を透過して特定の色を得ることができるものを総称している。また、この色フィルタは、特定の種類の色フィルタからなる単層であってもよいし、異なる種類の色フィルタを積層したものであってもよい。例えば、色変換層にそのＲ，Ｇ，Ｂ等に合わせてカラーフィルタ層を積層した構造を採用することもでき、これによると、表示コントラスト低下の原因の一つとして考えられる、色変換層が外光によって励起されて蛍光を生じるといった問題を解消できる。
【００３２】
色フィルタの色の種類は、２色以上の複数色であれば特に限定されるものではない。Ｒ，Ｇ，Ｂの３原色表示を採用することで、フルカラー表示を行うことができるが、２色又は４色のマルチカラー表示であってもよい。また、複数色毎の単位領域の表示面積，表示形状，配列等は特に限定されるものではなく、適宜設計変更可能である。
【００３３】
ｂ．透明捕水膜；透明捕水膜は、透明性を有する物理的乾燥剤（ゼオライト，シリカゲル，カーボン，カーボンナノチューブ等）、化学的乾燥剤（アルカリ金属酸化物，金属ハロゲン化物，過酸化塩素等）、捕水機能を有する特定の有機金属錯体等を石油系溶媒（トルエン，キシレン，脂肪族有機溶剤等）に溶解したもの、或いは乾燥剤粒子を透明性を有する樹脂バインダ（ポリエチレン，ポリイソプレン，ポリビニルシンナエート等）に分散させたものを塗布等によって成膜して得られる。透明捕水膜の透過性は１０〜９９％、好ましくは５０％以上に設定される。
【００３４】
ｃ．電極；下部電極，上部電極については、どちらを陰極又は陽極に設定してもかまわない（陽極は陰極より仕事関数の高い材料で構成される）が、本発明の実施例としては、上部電極側を透明電極としてトップエミッション方式を実現できる電極材料を選択する必要がある。一例としては、上部電極を、ＩＴＯ，ＩＺＯ等の酸化金属膜等からなる透明電極とし、下部電極をアルミニウム（Ａｌ），マグネシウム（Ｍｇ）等の金属膜、ドープされたポリアニリンやドープされたポリフェニレンビニレン等の非晶質半導体、Ｃｒ２Ｏ３，ＮｉＯ，Ｍｎ２Ｏ５等の酸化物からなる電極で構成することができる。また、下部電極と上部電極を伴に透明な材料により構成した場合には、下部電極側に反射膜を設けた構成にする。
【００３５】
ｄ．有機層（有機発光機能層）；有機層は、前述した実施形態（図４参照）のように正孔輸送層、発光層、電子輸送層を組合わせたものが一般的であるが、発光層、正孔輸送層、電子輸送層はそれぞれ１層だけでなく複数層積層して設けても良く、正孔輸送層、電子輸送層についてはどちらかの層を省略しても、両方の層を省略してもかまわない。また、正孔注入層、電子注入層等の有機層を用途に応じて挿入することも可能である。前記正孔輸送層、前記発光層、前記電子輸送層は従来より使用されている材料を適宜選択して採用することができる。
【００３６】
ｅ．接着剤；接着剤は、熱硬化型、化学硬化型（ニ液混合）、光（紫外線）硬化型等を使用することができ、材料としてアクリル樹脂、エポキシ樹脂、ポリエステル、ポリオレフィン等を用いる。特に、紫外線硬化型のエポキシ樹脂製の使用が好ましい。このような接着剤に、１〜３００μｍの粒径のスペーサ（ガラスやプラスチックのスペーサが好ましい）を適量混合（０．１〜０．５重量％程）し、支持基板又は封止基板の周囲にディスペンサ等を使用して塗布する。
【００３７】
本発明の実施形態及び実施例は、以上のように構成されるので、トップエミッション方式のカラー表示を行う有機ＥＬパネルにおいて、充分な封止空間内の捕水効果が得られ、有機ＥＬ素子に対して効率的な劣化対策を施すことができ、製造工程を簡略化することができ、製品歩留まりを向上させてコスト削減を可能にすることができる。また、色ずれのない良好なカラー表示を行うことができる。
【図面の簡単な説明】
【００３８】
【図１】従来技術の説明図である。
【図２】本発明の実施形態に係る有機ＥＬパネルの説明図である。
【図３】本発明の他の実施形態に係る有機ＥＬパネルの説明図である。
【図４】本発明の実施形態に係る有機ＥＬパネルにおける有機ＥＬ素子層の具体例を示す説明図である。
【図５】本発明の実施形態に係る有機ＥＬパネルの製造方法を示す説明図である。
【符号の説明】
【００３９】
１０，２０  有機ＥＬパネル
１１，２１  支持基板
１２，２２  有機ＥＬ素子層
１３，２３  封止基板
１４，２４  色フィルタ層
１５，２５  ブラックマトリクス
１６，２６  透明捕水膜
１７，２７  接着剤
２８  バッファ層
３０  薄膜駆動素子
３１  平坦化絶縁膜
３２  下部電極
３３  有機層
３４  上部電極
【図１】
2005011794.tif 000003
【図２】
2005011794.tif 000004
【図３】
2005011794.tif 000005
【図４】
2005011794.tif 000006
【図５】
2005011794.tif 000007